(57)【要約】      （修正有）【課題】従来から使用されているハンバーガー等の食品の包み袋を使用して、ハンバーガー等を食するときに、具材等がこぼれ落ちるおそれと、消費者の顎等が汚れるおそれを解決したハンバーガー等の食品の包み袋を提供する。【解決手段】略矩形のシート状包装体の短辺同士が、長手方向に所定間隔を隔てて略平行になるように、所定位置で折り返され、重ねられた長辺縁同士の少なくとも一部分が貼着された収納部２を備える照り焼きハンバーガー１０の包み袋１において、長辺２０、２１に亘る連続した破断予定線３が、所定間隔の領域５内に形成されている。切り離しシート部分４が消費者の顎等にあたって汚れることを防止できる。【選択図】図３
0003210152.tif 000002
【実用新案登録請求の範囲】
【請求項１】
略矩形のシート状包装体の対向する短辺同士が、長手方向に所定間隔を隔てて略平行になるように、前記シート状包装体は長手方向の所定位置で折り返され、重ねられた長辺縁同士の少なくても一部分が貼着されて形成された略扁平な収納部を備えるハンバーガー等の食品の包み袋において、
対向する長辺に亘る連続した破断予定線が、前記所定間隔の領域内の前記シート状包装体に形成されたことを特徴とするハンバーガー等の食品の包み袋。
【請求項２】
前記破断予定線はミシン目であって、対向する前記長辺の最短を結ぶ直線である請求項１に記載のハンバーガー等の食品の包み袋。
【考案の詳細な説明】
【技術分野】
【０００１】
略矩形のシート状包装体の対向する短辺同士が、長手方向に所定間隔を隔てて略平行になるように、前記シート状包装体は長手方向の所定位置で折り返され、重ねられた長辺縁同士の少なくても一部分が貼着されて形成された略扁平な袋を備えるハンバーガー等の食品の包み袋に関するものである。
【背景技術】
【０００２】
従来、ハンバーガー等の食品は、ソースやマヨネーズと混ぜてあえたたれ等の粘稠液状物を具材にからめたり、粘稠液状物自体を具材としたりして、それらがパン等（食品がハンバーガーであればいわゆるバンズと言われる丸いパン）に挟まれて提供されている。そのため、ハンバーガー等の食品を食するときには、その粘稠液状物がこぼれて手や衣服等を汚さないように、ハンバーガー等を収容する収容袋が提供されている。
特許文献１には、袋の前側及び後側に少なくても一つの弱化線、特にミシン目を設け、それらの弱化線は前側及び後側の重なる領域を超えて延びている食品包装袋の発明が開示されている、特許文献２には、中央部に平行した２本の切り込みとつまみ部が設けられ、つまみ部から左右に切り開いて半分の包装紙を持って食べられるハンバーガー包装紙の発明が開示されている。特許文献３には、扁平な袋の両面のシート状包装材の両側縁を、袋の下端両縁から袋内の食品の長さより短い長さを接着し、両側縁の未接着と袋の上端両開口縁とにより、袋の両面に舌片を形成したハンバーガー等の食品包装袋が開示されている。
【先行技術文献】
【特許文献】
【０００３】
【特許文献１】欧州特許出願公開第２０００４１９号明細書
【特許文献２】特開２０００−４３９３１号公報
【特許文献３】実開平５−４０１５０号公報
【考案の概要】
【考案が解決しようとする課題】
【０００４】
しかしながら、特許文献１の収容袋の発明は、ミシン目で収容袋の一部分を取り除くと、その取り除かれた部分に例えばハンバーガーがはみ出していると、たれや具材等が収容袋からこぼれ落ちるおそれがあった。特許文献２のハンバーガー包装紙の発明も特許文献１と同様なおそれがあった。特許文献３のハンバーガー等の食品包装は、形成された舌片が消費者側に垂れ下がる場合があり、ハンバーガー等を食するときに消費者の顎等に当たって不都合な場合があった。すなわち、特許文献１及び２の発明は、ハンバーガー等を食べやすくすることを優先したために、かえって具材等が収容袋からこぼれ落ちるおそれが発生するという問題点があった。また、特許文献３の考案は、具材等がこぼれ落ちるおそれはないが、ハンバーガー等を食するときに、消費者の顎等が汚れるおそれがあるという問題点があった。
【０００５】
本考案は、上記問題点を解決するためになされたものであり、従来から使用されているハンバーガー等の食品の包み袋を使用して、ハンバーガー等を食するときに、具材等がこぼれ落ちるおそれと、消費者の顎等が汚れるおそれを解決したハンバーガー等の食品の包み袋を提供することを目的とする。
【課題を解決するための手段】
【０００６】
上記目的を達成するために、本考案のハンバーガー等の食品の包み袋は、次のような構成を有している。
（１）略矩形のシート状包装体の対向する短辺同士が、長手方向に所定間隔を隔てて略平行になるように、前記シート状包装体は長手方向の所定位置で折り返され、重ねられた長辺縁同士の少なくても一部分が貼着されて形成された略扁平な収納部を備えるハンバーガー等の食品の包み袋において、
対向する長辺に亘る連続した破断予定線が、前記所定間隔の領域内の前記シート状包装体に形成されたことを特徴とするハンバーガー等の食品の包み袋である。
ハンバーガー以外の食品としては、例えばホットドック等がある。また長辺縁とは長辺を含み、シート状包装体の短手方向に所定幅を有する縁のことである。
（２）前記破断予定線はミシン目であって、対向する前記長辺の最短を結ぶ直線である（１）に記載のハンバーガー等の食品の包み袋である。
【考案の効果】
【０００７】
本考案の作用・効果を説明する。
（１）略矩形のシート状包装体の対向する短辺同士が、長手方向に所定間隔を隔てて略平行になるように、シート状包装体は長手方向の所定位置で折り返され、重ねられた長辺縁同士の少なくても一部分が貼着されて形成された略扁平な収納部を備えるハンバーガー等の食品の包み袋において、対向する長辺に亘る連続した破断予定線が、所定間隔の領域内のシート状包装体に形成されたことを特徴とするハンバーガー等の食品の包み袋なので、ハンバーガー等は、有底の略扁平な収納部に収納され、かつ、破断予定線からその破断予定線から最寄りの短辺までのシートの部分（以下、切離シート部分と言う）は、破断予定線によって容易に包み袋から切り離されるため、ハンバーガー等が食されるときに、ハンバーガー等に挟まれた具材等が包み袋からこぼれ落ちるというおそれはなく、かつ切離シート部分が消費者の顎等にあたることによって汚れが発生するおそれはないという効果を奏する。
（２）破断予定線はミシン目であって、対向する長辺の最短を結ぶ直線である（１）に記載のハンバーガー等の食品の包み袋なので、ミシン目は切離のため加えられた力によって順次切離していくため、切離シート部分は容易かつ迅速に切り離されるという効果を有する。
【図面の簡単な説明】
【０００８】
【図１】本考案の一実施の形態で照り焼きハンバーガーが包み袋（以下、単に包み袋と言う場合がある）に包まれ、その包み袋の一部分が破断されたときの断面図を含んだ斜視図である。
【図２】折り返されていた切離シート部分が開かれて、収納部に収納された照り焼きハンバーガーが視認できる斜視図である。
【図３】包み袋の切離シート部分の一部分が切り離されたときの斜視図である。
【図４】包み袋が作製される前のシート状包装体の斜視図である。
【図５】収納部が形成された包み袋の斜視図である。
【考案を実施するための形態】
【０００９】
図１〜３に基づいて、本考案の実施の形態であるハンバーガー等の食品の包み袋１の説明を行う。図１は、ハンバーガーの1つである照り焼きハンバーガー１０を包み込んだ包み袋１が、その一部分が破断されたときの断面図を含んだ状態を斜視図で示したものである。照り焼きハンバーガー１０は、厚み方向の略中央でスライスされたバンズ１１の間に、具材であるハンバーグ１２と、それにからめたたれ１３を挟んで構成されている。一般的に照り焼きハンバーガー１０は、図１の状態でそれを食する消費者Ｃに提供されている。切離シート部分４は、照り焼きハンバーガー１０が収納された方向に折り返され、照り焼きハンバーガー１０を包んだ包み袋１の一部分を介して、照り焼きハンバーガー１０の下側に位置している。
【００１０】
図２は、折り返されていた切離シート部分４が開かれて、略扁平な収納部２に収納された照り焼きハンバーガー１０が、視認できる状態を示したものである。図１では、照り焼きハンバーガー１０の下側に位置していた切離シート部分４が、照り焼きハンバーガー１０の上側に位置するように、まず包み袋１がひっくり返され、その後切離シート部分４が開かれている。
【００１１】
照り焼きハンバーガー１０にからめられたたれ１３は、粘稠であっても液体物であるため、その一部分がバンズ１１とハンバーグ１２の間からはみ出し、収納部２にも存在している。そして、包み袋１が移動されたり、回転されたりすることによって、収納部２にはみ出していたたれ１３は、その一部が収納部２から出て、包み袋１の内側において、ミシン目（破断予定線）３付近の切離シート部分４にも付着する場合があることになる。そのように付着したたれ１３が、消費者Ｃが照り焼きハンバーガー１０を食する際に、消費者Ｃの手や衣服等当ったりして、消費者Ｃの手や衣服等を汚す場合があることになるのである。
【００１２】
図３は、包み袋１の切離シート部分４の一部分が、切り離されたときの状態を示したものである。ミシン目３が、対向する長辺２０、２１に亘って連続して形成されている。切離シート部分４の長辺２０に、力Ｆを作用させることによって、ミシン目３が力Ｆの方向に向かって破断し、切離シート部分４は、包み袋１から切り離されることになる。ミシン目３は力Ｆが作用することによって破断するのであるから、力Ｆが作用する前は、破断する予定の線すなわち破断予定線である。
【００１３】
ミシン目３には、公知の形状等が適用され、ミシン目３に一致または近接してミシン目３を表した破線等が印刷されことが好ましい。照り焼きハンバーガー１０の消費者Ｃが、ミシン目３を切り離そうとするときの目印となるからである。対向する長辺２０、２１に亘る連続したミシン目３は、消費者Ｃが切離シート部分４を、なるべく容易かつ迅速に切り離すことができるように、対向する長辺２０、２１の最短を結ぶ直線であることが好ましい。すなわちミシン目３は、シート状包装体３０（図４参照）の短辺３１（３２）と平行であることが好ましい。
【００１４】
図４、５に基づき包み袋１の作製の仕方の説明を行う。図４は、包み袋１が作製される前の矩形のシート状包装体３０を示したものである。シート状包装体３０は略矩形でも、シート状包装体３０が長手方向の所定位置で折り返され、重ねられた長辺縁２２同士の少なくても一部分が貼着され、略扁平な収納部２が形成されやすい観点から矩形が好ましい。シート状包装体３０の材質は紙、プラスチック等の公知の材質から適宜選択されるが、コストの観点から紙が好ましい。材質が紙である場合には、３０〜１００ｇ/ｍ２程度であることが好ましい。そして、シート状包装体３０の少なくても照り焼きハンバーガー１０等の食品が接する面は、水分や油を遮断するコーティングがされていることが好ましい。
【００１５】
図５は、収納部２が形成された包み袋１を示したものである。図４のシート状包装体３０において、対向する短辺同士すなわち短辺３１と３２が、所定間隔を隔てて略平行になるように、シート状包装体３０は、長手方向の所定位置で折り返されている。より具体的に言えば、シート状包装体３０は矩形であるから、包み袋１は、ミシン目３から遠い方の短辺３１が、ミシン目３に近い短辺３２の方向に折り返され略扁平な収納部２を備えることになる。
【００１６】
照り焼きハンバーガー１０を収納して保持できる有底の収納部２を形成するには、重ねられた長辺縁２２同士の少なくても一部分が貼着される必要があり、
長辺縁２２について、折り返され、重ねられた長辺縁２２同士が貼着されている。この場合、包み袋１が長辺縁２２を下方に傾けられても、収納部２に収納された照り焼きハンバーガー１０は、貼着された長辺縁２２同士に支えられて、収納部２から外部に落ちることはない。さらに、包み袋１が、長辺縁２３を下方に傾けられても同様に、照り焼きハンバーガー１０が、収納部２から外部に落ちないようにするには、折り返され、重ねられた長辺縁２３同士を貼着すればよい。片側の長辺縁同士を貼着するか、両側の長辺縁同士を貼着するかは、消費者Ｃからの要望とコストのバランスから適宜選択することができる。なお貼着には、公知の接着剤等が適宜使用される。
【００１７】
ミシン目３は、短辺３１と３２が所定間隔を隔てて平行になるように、シート状包装体３０が、長手方向に折り返されて形成された所定間隔の領域５内に設けられる。すなわち所定間隔の領域５とは、折り返されたときに短辺３１、３２の間に形成されたシート状包装体３０の領域である。折り返された短辺３１と長辺縁２２とが貼着された、短辺３２に最も近い箇所を貼着端点２４、ミシン目３と長辺２０との交点をミシン目開始点２５として、両者の距離をＤとする。このとき距離Ｄは、切離シート部分４をなるべく大きくする観点から、０〜５ｃｍであり、好ましくは０〜３ｃｍであり、より好ましくは０〜１ｃｍである。切離シート部分４が大きくなるにしたがって、切離シート部分４に付着した、包み袋１から切り離されるたれ１３の量が多くなるからである。
【００１８】
本実施例によれば、（１）略矩形のシート状包装体３０の対向する短辺３１、３２同士が、長手方向に所定間隔を隔てて略平行になるように、シート状包装体３０は長手方向の所定位置で折り返され、重ねられた長辺縁２２、２３同士の少なくても一部分が貼着されて形成された略扁平な収納部２を備える照り焼きハンバーガー１０の包み袋１において、対向する長辺２０、２１に亘る連続した破断予定線が、所定間隔の領域５内のシート状包装体３０に形成されたことを特徴とする照り焼きハンバーガー１０の包み袋１なので、照り焼きハンバーガー１０は、有底の略扁平な収納部２に収納され、かつ、破断予定線から破断予定線から最寄りの短辺３２まで、切離シート部分４は、破断予定線によって容易に包み袋１から切り離されるため、照り焼きハンバーガー１０が食されるときに、照り焼きハンバーガー１０のたれ１３が、包み袋１すなわち収納部２からこぼれ落ちるというおそれはなく、かつ切離シート部分４が消費者Ｃの顎等にあたることによって汚れが発生するおそれはないという効果を奏する。
【００１９】
（２）破断予定線はミシン目３であって、対向する長辺２０，２１の最短を結ぶ直線である（１）に記載のハンバーガー等の食品の包み袋１なので、ミシン目３は切離のため加えられた力Ｆによって順次切離していくため、切離シート部分４は容易かつ迅速に切り離されるという効果を奏する。
【００２０】
本考案のハンバーガー等の食品の包み袋については、上記実施例に限定されることなく、色々な応用が可能である。ミシン目開始点に近接して設けられたタブであって、長辺に接続しその開始点を挟んで収納部でない側に設けられた任意の形状のタブがさらに備えられてもよい。また、貼着端点は折り返された短辺縁と長辺縁や、折り返された短辺縁と長辺から形成されてもよい。
【符号の説明】
【００２１】
１          包み袋
２          収納部
３          ミシン目（破断予定線）
５          所定間隔の領域
１０        照り焼きハンバーガー
２０、２１  長辺
２２、２３  長辺縁
３０        シート状包装体
３１、３２  短辺
【図１】
0003210152.tif 000003
【図２】
0003210152.tif 000004
【図３】
0003210152.tif 000005
【図４】
0003210152.tif 000006
【図５】
0003210152.tif 000007